【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
第１のほぼ平面の表面と、前記第１のほぼ平面の表面と向かい合った第２のほぼ平面の表面と、前記表面に垂直な中心軸とを有する磁気記録ディスクであって、
前記第１のほぼ平面の表面上にあり、前記中心軸の周りで角度を成して離間された線のサーボパターンを形成するとともに、ほぼ半径方向で延びた複数のサーボセクタであって、各サーボセクタの前記個別のブロックが、セクタ識別（ＳＩＤ）フィールドと、該ＳＩＤフィールドから角度を成して離間したサーボ位置誤差信号（ＰＥＳ）フィールドとを含む複数のフィールドが配置された、磁性材料の複数の個別のブロックをそれぞれ含む、複数のサーボセクタと、
前記第２のほぼ平面の表面上にあり、前記第１のほぼ平面の表面上の前記サーボパターンと同一のサーボパターンを形成する複数のサーボセクタとを備える磁気記録ディスク。
【請求項２】
前記表面それぞれの上にある前記サーボパターンの前記線がそれぞれ、前記中心軸を中心とする半径方向内側および外側の円の間を延びるほぼ弓状の線である請求項１に記載の磁気記録ディスク。
【請求項３】
前記表面それぞれの上にある前記サーボパターンの前記線がそれぞれ、前記中心軸を中心とする半径方向内側および外側の円の間を延びる、半径方向にほぼ直線の線である請求項１に記載の磁気記録ディスク。
【請求項４】
前記表面がそれぞれ連続的な磁性材料の層を含み、前記個別のブロックが、前記磁性材料の磁化されたブロックを備える請求項１の磁気記録ディスク。
【請求項５】
前記表面がそれぞれ、前記中心軸を中心とする、磁化可能な材料と磁化不能な材料の保護帯域との複数の同心円データトラックを含み、半径方向に隣接した前記同心円データトラックが前記保護帯域によって分離される請求項１に記載の磁気記録ディスク。
【請求項６】
前記表面がそれぞれ、磁化可能な材料の個別のデータ島の複数の同心円データトラックを含む請求項１に記載の磁気記録ディスク。
【請求項７】
該フィールドは、自動利得制御（ＡＧＣ）フィールドと、トラック識別フィールド（ＴＩＤ）とを含む請求項１に記載の磁気記録ディスク。
【請求項８】
該フィールドは、前記サーボセクタの中心の周りでほぼ対称的であり、該ＳＩＤフィールドは、第１のＳＩＤフィールドであり、
前記角度を成して離間したフィールドの第１のものは第１の自動利得制御（ＡＧＣ）フィールドであり、前記フィールドの第２のものは前記第１のＳＩＤフィールドであり、前記フィールドの最後から２番目のものは前記第１のＳＩＤフィールドと同じ第２のＳＩＤフィールドであり、
前記フィールドの最後のものは前記第１のＡＧＣフィールドと同じ第２のＡＧＣフィールドであり、
該ＰＥＳフィールドは前記第１及び第２のＳＩＤフィールドの間にある請求項１に記載の磁気記録ディスク。
【請求項９】
各サーボセクタの前記個別のブロックが、それらが上に形成される表面にほぼ平行に磁化される請求項１に記載の磁気記録ディスク。
【請求項１０】
各サーボセクタの前記個別のブロックが、それらが上に形成される表面にほぼ垂直に磁
化される請求項１に記載の磁気記録ディスク。
【請求項１１】
第１のほぼ平面の表面と、前記第１のほぼ平面の表面と向かい合った第２のほぼ平面の
表面と、前記表面に垂直な中心軸とを有する磁気記録ディスクであって、
前記表面それぞれの上にあり、前記中心軸を中心とする、磁性材料の複数のほぼ同心円
のデータトラックと、
前記第１のほぼ平面の表面上にあり、前記中心軸の周りで角度を成して離間した線のサーボパターンを形成するとともに、前記データトラックを横切ってほぼ半径方向に延びる複数のサーボセクタであって、前記データトラックに沿って角度を成して離間するとともに、サーボセクタの中心の周りでほぼ対称的なフィールドの形態で配置された、磁性材料の複数の個別のブロックをそれぞれ備え、該フィールドは、第１のフィールドと、該第１のフィールドと同じ第２のフィールドと、前記第１及び第２のフィールドの間にあるサーボ位置誤差信号（ＰＥＳ）フィールドとを含み、
前記第２のほぼ平面の表面上にあって、前記第１のほぼ平面の表面上の前記サーボパターンと同一のサーボパターンを形成する複数のサーボセクタとを備える磁気記録ディスク。
【請求項１２】
前記表面それぞれの上の前記サーボパターンの前記線がそれぞれ、前記中心軸を中心とする半径方向内側および外側の円の間を延びるほぼ弓状の線である請求項１１に記載の磁気記録ディスク。
【請求項１３】
前記表面それぞれの上の前記サーボパターンの前記線がそれぞれ、前記中心軸を中心とする半径方向内側および外側の円の間を延びる、半径方向にほぼ直線の線である請求項１１に記載の磁気記録ディスク。
【請求項１４】
前記個別のブロックがそれぞれ前記磁性材料の磁化されたブロックを含む請求項１１に記載の磁気記録ディスク。
【請求項１５】
半径方向に隣接したデータトラックが磁化不能な材料の保護帯域によって分離される請求項１１に記載の磁気記録ディスク。
【請求項１６】
各サーボセクタの前記個別のブロックが、自動利得制御（ＡＧＣ）フィールド、セクタ識別（ＳＩＤ）フィールド、トラック識別フィールド（ＴＩＤ）、およびサーボ位置誤差信号（ＰＥＳ）フィールドを含む、角度を成して離間されたフィールドの形態で配置される請求項１１に記載の磁気記録ディスク。
【請求項１７】
ほぼ平面の前面と、前記ほぼ平面の前面と向かい合ったほぼ平面の後面と、前記前後面に垂直な回転中心軸とを有する回転可能な磁気記録ディスクであって、前記表面それぞれの上にあり、前記回転中心軸を中心とする、磁性材料の複数のほぼ同心円のデータトラックと、前記前面上にあり、前記回転中心軸の周りで角度を成して離間したほぼ弓状の線のパターンを形成するとともに、前記回転中心軸を中心とする半径方向内側および外側の円の間にある前記データトラックを横切ってほぼ半径方向に延びる複数のサーボセクタであって、前記データトラックに沿って角度を成して離間したフィールドの形態で配置され、磁性材料の複数の別個のブロックをそれぞれ備え、前記フィールドの１つが位置誤差信号（ＰＥＳ）フィールドであるサーボセクタと、前記前面上の該線のパターンと同じの線のパターンを形成する、前記後面上にある複数のサーボセクタとを備える磁気記録ディスクと、
前記前面上の前記サーボセクタを検出する第１のヘッドと、
前記後面上の前記サーボセクタを検出する第２のヘッドと、
前記ヘッドに接続された、前記ヘッドを異なるデータトラックに対して位置付けるとともに、前記ヘッドを前記データトラック上で維持するアクチュエータと、
前記ヘッドおよび前記アクチュエータに連結され、特定の時間窓の間、前記ＰＥＳフィールドの検出を可能にするとともに、前記ヘッドによる前記ＰＥＳフィールドの検出に応答して、アクチュエータ制御信号を生成するプロセッサと、
前記プロセッサに連結され、前記プロセッサが読取り可能な命令プログラムであって、前記ヘッドの半径方向位置を推定し、推定された前記位置からの時間調整を計算し、該ＰＥＳフィールドが前記第２のヘッドによって検出されたときのみ、計算された前記時間調整を使用して前記時間窓を調整することを含む方法動作を行う命令プログラムを含むメモリと、を備える磁気記録ディスクドライブ。
【請求項１８】
ほぼ平面の前面と、前記ほぼ平面の前面と向かい合ったほぼ平面の後面と、前記前後面に垂直な回転中心軸とを有する回転可能な磁気記録ディスクであって、前記表面それぞれの上にあり、前記回転中心軸を中心とする、磁性材料の複数のほぼ同心円のデータトラックと、前記前面上にあり、前記回転中心軸の周りで角度を成して離間した半径方向にほぼ直線の線のパターンを形成するとともに、前記回転中心軸を中心とする半径方向内側および外側の円の間にある前記データトラックを横切ってほぼ半径方向に延びる複数のサーボセクタであって、前記データトラックに沿って角度を成して離間したフィールドの形態で配置され、磁性材料の複数の別個のブロックをそれぞれ備え、前記フィールドの１つが位置誤差信号（ＰＥＳ）フィールドであるサーボセクタと、前記前面上の該線のパターンと同じの線のパターンを形成する、前記後面上にある複数のサーボセクタとを備える磁気記録ディスクと、
前記前面上の前記サーボセクタを検出する第１のヘッドと、
前記後面上の前記サーボセクタを検出する第２のヘッドと、
前記ヘッドに接続された、前記ヘッドを異なるデータトラックに対して位置付けるとともに、前記ヘッドを前記データトラック上で維持するアクチュエータと、
前記ヘッドおよび前記アクチュエータに連結され、特定の時間窓の間、前記ＰＥＳフィールドの検出を可能にするとともに、前記ヘッドによる前記ＰＥＳフィールドの検出に応答して、アクチュエータ制御信号を生成するプロセッサと、
前記プロセッサに連結され、前記プロセッサが読取り可能な命令プログラムであって、前記ヘッドの半径方向位置を推定し、推定された前記位置からの時間調整を計算し、前記ＰＥＳフィールドが前記第１のヘッドによって検出されたときおよび該ＰＥＳフィールドが前記第２のヘッドによって検出されたとき、計算された前記時間調整を使用して前記時間窓を調整することを含む方法動作を行う命令プログラムを含むメモリと、を備える磁気記録ディスクドライブ。